(57)【特許請求の範囲】
【請求項１】
ホスト側ケーブルとモジュール側基板とをモジュール内部で電気的に接続するモジュール用コネクタであって、
前記モジュール側基板を収容するモジュールケースと一体に組み立てられるモジュール側コネクタと、
前記ホスト側ケーブルを固定し、前記モジュール側コネクタに嵌合されるケーブル側コネクタとを備え、
前記モジュール側コネクタは、先端に係合突起部が設けられたばね性を有する片持ち梁形状の係合部と、該係合部の両側に、それぞれ、該係合部の延在する方向に延び互いに向かい合って形成される係合補強部とを有し、前記ケーブル側コネクタは、該モジュール側コネクタの係合部の係合突起部が挿入され取り外し可能に係合される開口係合部と、該開口係合部の周縁に相対向して形成される壁とを有するオーバーモールドを有することを特徴とするモジュール用コネクタ。
【請求項２】
前記ケーブル側コネクタは、可動部である前記係合突起部を押圧する押圧部を備え、前記押圧部を押圧することにより、前記モジュール側コネクタと前記ケーブル側コネクタの嵌合を解除することを特徴とする請求項１に記載のモジュール用コネクタ。
【請求項３】
前記ケーブル側コネクタは、前記押圧部の周囲に壁を備え、前記壁により誤ってコネクタ嵌合が解除されないことを特徴とする請求項２に記載のモジュール用コネクタ。
【請求項４】
前記ケーブル側コネクタには、前記ホスト側ケーブル、及び、前記モジュール側コネクタと前記ケーブル側コネクタとの防水性能のある電気接続のためにオーバーモールドが一体成形されることを特徴とする請求項１乃至請求項３のうちのいずれか１項に記載のモジュール用コネクタ。
【請求項５】
前記オーバーモールドは、前記モジュール側コネクタが前記ケーブル側コネクタに接続される場合、前記モジュール側コネクタの台座に配置される複数のコンタクトピンに電気的に接続される複数のコンタクト端子が内側に配置されるケースの外周部に、該ケースが収容される前記モジュール側コネクタの開口部を形成する内周面に当接するＯリングを有することを特徴とする請求項４記載のモジュール用コネクタ。
【発明の詳細な説明】
【技術分野】
【０００１】
本発明は、ホスト側ケーブルと車載用カメラモジュール等のモジュールのモジュール側基板とを電気的に接続するモジュール用コネクタに係る。
【背景技術】
【０００２】
ＣＣＤセンサやＣＭＯＳセンサなどを使用したバックモニタ用カメラや白線認識用カメラ等の車載カメラモジュールが知られている。このような車載カメラモジュールは、撮像用のレンズ等の光学素子を有する撮影光学系と、それにより結像された被写体像の取得のための撮像素子と、その撮像素子から出力された電気信号に基づく被写体像に対応したデジタル画像データの生成等を行う電子回路部とを筐体に収容する構成となっている。その筐体には、取得したデジタル画像データを電子回路部から伝送するための接続コードが設けられている。
【先行技術文献】
【特許文献】
【０００３】
【特許文献１】特許５１７９５２４号公報
【特許文献２】特許５５１８６４１号公報
【発明の概要】
【発明が解決しようとする課題】
【０００４】
このような車載カメラモジュール等のモジュール用コネクタでは、ロック構造を備えコネクタ嵌合時に無理抜きができない構造とすることが必要である。また、作業性を考慮し、ワンアクションでコネクタ嵌合を解除できる構造や、他部品との干渉により誤ってロック解除されない構造とすることも必要である。
【０００５】
従来のケーブルコネクタでは、特許文献１に記載のように、ネジ止めによる完全固定で無理抜きの対策をするか、特許文献２に記載のように、バネ部を有するロック構造を使用して無理抜きの対策をする方法が知られている。しかし、ネジ止めでは、ネジ止め工数がかかり且つネジ部品が別途必要となる。又、バネ部を有したロック構造では、ロック用バネ及びロック爪部、ロック解除操作部を形成する必要があるため、サイズが大きくなるという問題がある。
【０００６】
従って、本発明の目的は、コネクタ嵌合のための作業性を考慮し、工数が少なくサイズが大きくない、ワンアクションでのコネクタ嵌合構造であって、取り外し性を考慮したロック構造、及び、無理抜きができない構造を採用し、更に防水機能を有するモジュール用コネクタを提供することである。
【課題を解決するための手段】
【０００７】
上記課題を解決するために、本発明に係るモジュール用コネクタは、ホスト側ケーブルとモジュール側基板とをモジュール内部で電気的に接続するモジュール用コネクタであって、モジュール側基板を収容するモジュールケースと一体に組み立てられるモジュール側コネクタと、ホスト側ケーブルを固定し、モジュール側コネクタに嵌合されるケーブル側コネクタとを備え、モジュール側コネクタは、先端に係合突起部が設けられたばね性を有する片持ち梁形状の係合部と、係合部の両側に、それぞれ、係合部の延在する方向に延び互いに向かい合って形成される係合補強部とを有し、ケーブル側コネクタは、モジュール側コネクタの係合部の係合突起部が挿入され取り外し可能に係合される開口係合部と、開口係合部の周縁に相対向して形成される壁とを有するオーバーモールドを有することを特徴とする。
【０００９】
また、上記ケーブル側コネクタは、可動部である上記係合突起部を押圧する押圧部を備え、上記押圧部を押圧することにより、上記モジュール側コネクタと上記ケーブル側コネクタの嵌合を解除するものとしてもよい。
【００１０】
また、上記ケーブル側コネクタは、上記押圧部の周囲に壁を備え、上記壁により誤ってコネクタ嵌合が解除されないものとしてもよい。
【００１１】
さらに、ケーブル側コネクタには、ホスト側ケーブル、及び、モジュール側コネクタとケーブル側コネクタとの防水性能のある電気接続のためにオーバーモールドが一体成形されてもよい。オーバーモールドは、モジュール側コネクタがケーブル側コネクタに接続される場合、モジュール側コネクタの台座に配置される複数のコンタクトピンに電気的に接続される複数のコンタクト端子が内側に配置されるケースの外周部に、ケースが収容されるモジュール側コネクタの開口部を形成する内周面に当接するＯリングを有するものでもよい。
【発明の効果】
【００１２】
本発明によれば、コネクタ嵌合のための作業性を考慮し、工数が少なくサイズが小さい、ワンアクションでのコネクタ嵌合構造であって、取り外し性を考慮したロック構造、及び、無理抜きができない構造を採用し、更に防水機能を有するモジュール用コネクタを提供することができる。
【００１３】
また、モジュール側コネクタの係合部と、ケーブル側コネクタの押圧部とを別部品として構成することにより操作性を損なうことなく、安定した操作を可能とするモジュール用コネクタを提供できる。
【図面の簡単な説明】
【００１４】
【図１】本発明の第１の実施形態に係るモジュール用コネクタを示す上側斜視図である。
【図２】本発明の第１の実施形態に係るモジュール用コネクタのモジュール側コネクタの上側斜視図である。
【図３】図３（ａ）は、本発明の第１の実施形態に係るモジュール用コネクタのモジュール側コネクタの６面図のうち正面図であり、図３（ｂ）は、モジュール側コネクタの背面図であり、図３（ｃ）は、モジュール側コネクタの右側側面図であり、図３（ｄ）は、モジュール側コネクタの平面図であり、図３（ｅ）は、モジュール側コネクタの底面図であり、図３（ｆ）は、モジュール側コネクタの左側側面図である。
【図４】図４（ａ）は、本発明の第１の実施形態に係るモジュール用コネクタのケーブル側コネクタの上側斜視図であり、図４（ｂ）は、ケーブル側コネクタの開口部側から見た斜視図である。
【図５】図５（ａ）は、本発明の第１の実施形態に係るモジュール用コネクタのケーブル側コネクタの６面図のうち正面図であり、図５（ｂ）は、ケーブル側コネクタの背面図であり、図５（ｃ）は、ケーブル側コネクタの右側側面図であり、図５（ｄ）は、ケーブル側コネクタの平面図であり、図５（ｅ）は、ケーブル側コネクタの底面図であり、図５（ｆ）は、ケーブル側コネクタの左側側面図である。
【図６】本発明のモジュール用コネクタのケーブル側コネクタのインシュレータの上側斜視図である。
【図７】図６に示すインシュレータに、コンタクト端子を圧着したケーブルを組み込んだ状態を示す上側斜視図である。
【図８】図７に示すケーブルを組み込んだインシュレータに、ケースを組み込んだ状態を示す上側斜視図である。
【図９】図４に示すケーブル側コネクタの断面斜視図である。
【図１０】本発明の第２の実施形態に係るモジュール用コネクタを示す上側斜視図である。
【図１１】本発明の第２の実施形態に係るモジュール用コネクタのモジュール側コネクタの上側斜視図である。
【図１２】図１２（ａ）は、本発明の第２の実施形態に係るモジュール用コネクタのモジュール側コネクタの６面図のうち正面図であり、図１２（ｂ）は、モジュール側コネクタの背面図であり、図１２（ｃ）は、モジュール側コネクタの右側側面図であり、図１２（ｄ）は、モジュール側コネクタの平面図であり、図１２（ｅ）は、モジュール側コネクタの底面図であり、図１２（ｆ）は、モジュール側コネクタの左側側面図である。
【図１３】本発明の第２の実施形態に係るモジュール用コネクタのケーブル側コネクタの上側斜視図である。
【図１４】図１４（ａ）は、本発明の第２の実施形態に係るモジュール用コネクタのケーブル側コネクタの６面図のうち正面図であり、図１４（ｂ）は、ケーブル側コネクタの背面図であり、図１４（ｃ）は、ケーブル側コネクタの右側側面図であり、図１４（ｄ）は、ケーブル側コネクタの平面図であり、図１４（ｅ）は、ケーブル側コネクタの底面図であり、図１４（ｆ）は、ケーブル側コネクタの左側側面図である。
【図１５】本発明の第２の実施形態に係るモジュール用コネクタのケーブル側コネクタのオーバーモールドと、ケーブルが組み込まれたケースを同時に示す上側斜視図である。
【図１６】図１６（ａ）は、本発明の第２の実施形態に係るモジュール用コネクタのケーブル側コネクタのオーバーモールドの６面図のうち正面図であり、図１６（ｂ）は、オーバーモールドの背面図であり、図１６（ｃ）は、オーバーモールドの右側側面図であり、図１６（ｄ）は、オーバーモールドの平面図であり、図１６（ｅ）は、オーバーモールドの底面図であり、図１６（ｆ）は、オーバーモールドの左側側面図である。
【図１７】図１７（ａ）は、本発明の第２の実施形態に係るモジュール用コネクタのケーブル側コネクタのケーブルが組み込まれたケースの６面図のうちの正面図であり、図１７（ｂ）は、ケーブルが組み込まれたケースの背面図であり、図１７（ｃ）は、ケーブルが組み込まれたケースの右側側面図であり、図１７（ｄ）は、ケーブルが組み込まれたケースの平面図であり、図１７（ｅ）は、ケーブルが組み込まれたケースの底面図であり、図１７（ｆ）は、ケーブルが組み込まれたケースの左側側面図である。
【発明を実施するための形態】
【００１５】
以下、本発明の実施形態を、図面を参照して説明する。
【００１６】
尚、以下の説明における上下方向の概念は、添付の図面における上下に対応しており、各部材の相対的な位置関係を示すものであって、絶対的な位置関係を示すものではない。また、以下の説明において、便宜的にコネクタの挿入方向を「先端」と示し、コネクタの挿入方向の逆方向を「後端」と示し、左右方向とは、コネクタの挿入方向に対し直交する方向を「左右」を示すこととするが、絶対的な位置関係を示すものではない。
【００１７】
まず、本発明の第１の実施形態について説明する。
【００１８】
図１は、本発明の第１の実施形態に係るモジュール用コネクタ１００を示す上側斜視図である。
【００１９】
図１において、モジュール用コネクタ１００は、多芯ケーブルや同軸ケーブル等のホスト側ケーブル１０と、車載カメラモジュール等のモジュールの図示しないモジュール側基板とをモジュール内部で電気的に接続するものである。モジュール用コネクタ１００は、モジュール側基板を収容するモジュールケース１と一体に組み立てられるモジュール側コネクタ１１０と、ケーブル１０を固定し、モジュール側コネクタ１１０に嵌合されるケーブル側コネクタ１２０とを備える。
【００２０】
図２は、本発明の第１の実施形態に係るモジュール用コネクタ１００のモジュール側コネクタ１１０の上側斜視図であり、図３（ａ）は、本発明の第１の実施形態に係るモジュール用コネクタ１００のモジュール側コネクタ１１０の６面図のうち正面図であり、図３（ｂ）は、モジュール側コネクタ１１０の背面図であり、図３（ｃ）は、モジュール側コネクタ１１０の右側側面図であり、図３（ｄ）は、モジュール側コネクタ１１０の平面図であり、図３（ｅ）は、モジュール側コネクタ１１０の底面図であり、図３（ｆ）は、モジュール側コネクタ１１０の左側側面図である。
【００２１】
図２乃至図３（ｆ）において、モジュール側コネクタ１１０は、例えば樹脂材料により一体として成形されるコネクタケース１１１と、後述するケーブル側コネクタ１２０に設けられた複数のコンタクト端子２０と接触する複数のコンタクトピン１１２とから主に構成される。
【００２２】
コネクタケース１１１の先端側は、モジュールケース１の後端側と一体にねじ等により固定されるため、モジュールケース１の後端側の外周に正確に嵌合するように、モジュールケース１と同じ外周を有するように形成される。コネクタケース１１１の後端側は、ケーブル側コネクタ１２０と嵌合するために、後述するインシュレータ１２３を組み込んだケース１２２を収容する口型開口部１１１ｄと、口型開口部１１１ｄの内部に設けられ、コネクタ嵌合時にインシュレータ１２３及びケース１２２と当接し、複数のコンタクトピン１１２が配置される台座１１１ｅと、ケーブル側コネクタ１２０に係合する係合部１１１ａと、係合部１１１ａの両側に配置され、係合部１１１ａの強度を補強するための２本の縦長の突起部である係合補強部１１１ｃが形成される。
【００２３】
台座１１１ｅに設けられた複数のコンタクトピン１１２は、導電性を有する例えば銅等の金属で形成され、モジュール内部でモジュール基板に電気的に接続される。コンタクトピン１１２の本数は、ここでは６本設けられているがこれには限定されない。例えば、ケーブル１０として同軸ケーブルを使用した場合には、ＧＮＤ線と信号線の２本必要であるが、この場合コンタクトピン１１２を２本設けるものとしてもよく、また、２本より多いコンタクトピン１１２を設けて、必要のないコンタクトピン１１２をダミーとしてもよい。
【００２４】
係合部１１１ａは、モジュール側コネクタ１１０の口型開口部１１１ｄの周囲の一方の面に設けられ、ばね性を有する片持ち梁形状に形成される。係合部１１１ａの先端には、ケーブル側コネクタ１２０に係合する係合突起部１１１ｂが設けられる。図１に示すように係合突起部１１１ｂは、具体的には、後述するケーブル側コネクタ１２０のオーバーモールド１２１に設けられた開口係合部１２１ａの先端側の一辺に係合する。操作者は、係合部１１１ａの先端に設けられた係合突起部１１１ｂを押圧することにより、係合突起部１１１ｂと開口係合部１２１ａの先端側の一辺との係合が外れ、モジュール側コネクタ１１０とケーブル側コネクタ１２０の嵌合を解除することができる。
【００２５】
車載カメラモジュール等のモジュール用コネクタ１００では、他部品との干渉により誤ってロック解除されない構造とする必要があるが、上述のようにオーバーモールド１２１に設けられた開口係合部１２１ａの先端側の一辺に係合突起部１１１ｂが係合するため、オーバーモールド１２１の開口係合部１２１ａの周囲の形状が壁となり、誤ってロック解除されない構造となっている。また、作業性を考慮し、開口係合部１２１ａの大きさを調整することにより、操作者がワンアクションでコネクタ嵌合を解除できる構造にもなっている。また、開口係合部１２１ａと係合突起部１１１ｂの係合は、コネクタを引き抜く方向には強度が強く、無理抜きができない構造にもなっている。
【００２６】
図４（ａ）は、本発明の第１の実施形態に係るモジュール用コネクタ１００のケーブル側コネクタ１２０の上側斜視図であり、図４（ｂ）は、ケーブル側コネクタ１２０の開口部１２１ｂから見た斜視図であり、図５（ａ）は、本発明の第１の実施形態に係るモジュール用コネクタ１００のケーブル側コネクタ１２０の６面図のうち正面図であり、図５（ｂ）は、ケーブル側コネクタ１２０の背面図であり、図５（ｃ）は、ケーブル側コネクタ１２０の右側側面図であり、図５（ｄ）は、ケーブル側コネクタ１２０の平面図であり、図５（ｅ）は、ケーブル側コネクタ１２０の底面図であり、図５（ｆ）は、ケーブル側コネクタ１２０の左側側面図である。
【００２７】
図４（ａ）乃至図５（ｆ）において、ケーブル側コネクタ１２０は、複数のコンタクト端子２０を圧着したケーブル１０を固定するインシュレータ１２３と、ケーブル１０を組み込んだインシュレータ１２３の外周を覆うケース１２２と、ケース１２２の溝１２２ａに組み込まれるＯリング１２４と、ケーブル１０とインシュレータ１２３を組み込んだケース１２２の外周にアウトサート成形され、防水機能を有するオーバーモールド１２１とを備える。インシュレータ１２３と、ケース１２２については、図６、図７を使用して以下で詳細に説明する。
【００２８】
図４（ａ）乃至図５（ｆ）において、オーバーモールド１２１は、モジュール側コネクタ１１０の口型開口部１１１ｄと嵌合するため、略直方体形状に例えば樹脂等により成形される。オーバーモールド１２１には、先端側にコネクタ嵌合時にモジュール側コネクタ１１０の口型開口部１１１ｄを収容する開口部１２１ｂと、オーバーモールド１２１の略直方体形状の後端側の一辺の一部を切り欠いた形状を有する開口係合部１２１ａとが形成される。開口係合部１２１ａの先端側の一辺は、モジュール側コネクタ１１０の係合部１１１ａの先端に設けられた係合突起部１１１ｂに係合されるため、平坦な平面形状に形成される。開口係合部１２１ａは、特に形状に限定はなく、図４（ａ）及び図５（ｅ）に示すように、略四角形状でもよく、それ以外の形状でも構わない。
【００２９】
図６は、本発明のモジュール用コネクタ１００のケーブル側コネクタ１２０のインシュレータ１２３の上側斜視図であり、図７は、図６に示すインシュレータ１２３に、コンタクト端子２０を圧着したケーブル１０を組み込んだ状態を示す上側斜視図である。
【００３０】
図６、図７において、インシュレータ１２３は、ケーブル１０の複数の信号線１１の被覆を剥がした導線部１２にそれぞれに圧着される複数のコンタクト端子２０のそれぞれについて絶縁を確保しつつ固定するものであり、例えば樹脂等により成形される。インシュレータ１２３には、先端側にコネクタ嵌合時にモジュール側コネクタ１１０の複数のコンタクトピン１１２が挿入されるコンタクト挿入口１２３ａと、後端側に被覆に覆われた複数の信号線１１を固定するＵ字形状の複数の信号線固定部１２３ｃと、コンタクト挿入口１２３ａと信号線固定部１２３ｃの間に信号線１１の被覆を剥がした複数の導線部１２を固定する導線部固定部１２３ｂと、インシュレータ１２３の両側面にケース１２２が係合される２つの三角形状の突起部１２３ｄとが形成される。図６に示すように、インシュレータ１２３には、６個のコンタクト挿入口１２３ａと、右下を除く５個の信号線固定部１２３ｃが設けられているが、ケーブル１０からモジュール側基板に接続される配線数は、これには限定されず、ケーブル１０の信号線１１の本数に合わせて変更してもよい。
【００３１】
図８は、図７に示すケーブル１０を組み込んだインシュレータ１２３に、ケース１２２を組み込んだ状態を示す上側斜視図である。
【００３２】
図８において、ケース１２２は、インシュレータ１２３の外部を覆うように組み込まれ、先端から後端方向に向かって内部に中空部分を有する略直方体形状に、例えば樹脂等により成形される。ケース１２２は、インシュレータ１２３の突起部１２３ｄに係合して固定される。ケース１２２は、オーバーモールド１２１をアウトサート成形により形成するときに、インシュレータ１２３に組み込まれた複数のコンタクト端子２０及び導線部１２に樹脂が流れ込むのを防ぐために設けられる。ケース１２２には、両側面にオーバーモールド１２１を固定するための係合突起部１２２ｂと、先端側の周囲に設けられＯリング１２４が組み込まれる溝１２２ａが設けられる。
【００３３】
図９は、図４に示すケーブル側コネクタ１２０の断面斜視図である。  
図９において、ケーブル１０が組み込まれたインシュレータ１２３に、ケース１２２を組み込み、その周囲にオーバーモールド１２１がアウトサート成形により形成される。オーバーモールド１２１は、ケーブル１０及びケース１２２に接触して形成されるため、ケーブル１０、及び、コンタクト端子２０とコンタクトピン１１２との電気接続の防水の機能を果たす。また、溝１２２ａに組み込まれたＯリング１２４は、コネクタ嵌合時にモジュール側コネクタ１１０の口型開口部１１１ｄの内部の壁と当接し、コンタクト端子２０とコンタクトピン１１２との電気接続の防水を確保する。
【００３４】
以上のように、第１の実施形態のモジュール用コネクタによれば、コネクタ嵌合のための作業性を考慮し、工数が少なくサイズが小さい、ワンアクションでのコネクタ嵌合構造であって、取り外し性を考慮したロック構造、及び、無理抜きができない構造を採用し、更に防水機能を有するモジュール用コネクタを提供することができる。
【００３５】
次に、本発明の第２の実施形態について説明する。
【００３６】
図１０は、本発明の第２の実施形態に係るモジュール用コネクタ２００を示す上側斜視図である。
【００３７】
図１０において、モジュール用コネクタ２００は、モジュール側基板を収容するモジュールケース１と一体に組み立てられるモジュール側コネクタ２１０と、ケーブル１０を固定し、モジュール側コネクタ２１０に嵌合されるケーブル側コネクタ２２０とを備える。
【００３８】
図１１は、本発明の第２の実施形態に係るモジュール用コネクタ２００のモジュール側コネクタ２１０の上側斜視図であり、図１２（ａ）は、本発明の第２の実施形態に係るモジュール用コネクタ２００のモジュール側コネクタ２１０の６面図のうち正面図であり、図１２（ｂ）は、モジュール側コネクタ２１０の背面図であり、図１２（ｃ）は、モジュール側コネクタ２１０の右側側面図であり、図１２（ｄ）は、モジュール側コネクタ２１０の平面図であり、図１２（ｅ）は、モジュール側コネクタ２１０の底面図であり、図１２（ｆ）は、モジュール側コネクタ２１０の左側側面図である。
【００３９】
図１１乃至図１２（ｆ）において、モジュール側コネクタ２１０は、第１の実施形態のモジュール側コネクタ１１０と略同様の構成を有しており、先端に係合突起部２１１ｂを有する係合部２１１ａの幅が、第１の実施形態の係合部１１１ａより狭くなっており、それ以外の構成は同じである。これは、第２の実施形態では、後述するように、ケーブル側コネクタ２２０に可動部である押圧部２２１ｃを設け、この押圧部２２１ｃにより係合突起部２１１ｂを押圧する構造を採用しているため、操作者が直接係合突起部２１１ｂに触れる必要がないためである。
【００４０】
図１３は、本発明の第２の実施形態に係るモジュール用コネクタ２００のケーブル側コネクタ２２０の上側斜視図であり、図１４（ａ）は、本発明の第２の実施形態に係るモジュール用コネクタ２００のケーブル側コネクタ２２０の６面図のうち正面図であり、図１４（ｂ）は、ケーブル側コネクタ２２０の背面図であり、図１４（ｃ）は、ケーブル側コネクタ２２０の右側側面図であり、図１４（ｄ）は、ケーブル側コネクタ２２０の平面図であり、図１４（ｅ）は、ケーブル側コネクタ２２０の底面図であり、図１４（ｆ）は、ケーブル側コネクタ２２０の左側側面図である。
【００４１】
図１３乃至図１４（ｆ）において、ケーブル側コネクタ２２０は、第１の実施形態のケーブル側コネクタ１２０と同様に、複数のコンタクト端子２０を圧着したケーブル１０を固定するインシュレータ２２３と、ケーブル１０を組み込んだインシュレータ２２３の外周を覆うケース２２２と、ケース２２２の溝２２２ａに組み込まれるＯリング２２４と、ケーブル１０とインシュレータ２２３を組み込んだケース２２２の外周にアウトサート成形され、防水機能を有するオーバーモールド２２１とを備える。インシュレータ２２３については、第１の実施形態のインシュレータ１２３と同様の構成であるため、説明を省略する。また、図１７（ａ）乃至図１７（ｆ）に、ケーブル１０が組み込まれたケース２２２の６面図を示すが、ケース２２２については、第１の実施形態のケース１２２と同様の機能を有するため、詳細な説明を省略する。
【００４２】
図１５は、本発明の第２の実施形態に係るモジュール用コネクタ２００のケーブル側コネクタ２２０のオーバーモールド２２１と、ケーブル１０が組み込まれたケース２２２を同時に示す上側斜視図であり、図１６（ａ）は、本発明の第２の実施形態に係るモジュール用コネクタ２００のケーブル側コネクタ２２０のオーバーモールド２２１の６面図のうち正面図であり、図１６（ｂ）は、オーバーモールド２２１の背面図であり、図１６（ｃ）は、オーバーモールド２２１の右側側面図であり、図１６（ｄ）は、オーバーモールド２２１の平面図であり、図１６（ｅ）は、オーバーモールド２２１の底面図であり、図１６（ｆ）は、オーバーモールド２２１の左側側面図である。
【００４３】
図１５乃至図１６（ｆ）において、オーバーモールド２２１は、第１の実施形態のオーバーモールド１２１と同様に、略直方体形状に例えば樹脂等により成形される。オーバーモールド２２１には、先端側にコネクタ嵌合時にモジュール側コネクタ２１０の口型開口部２１１ｄを収容する開口部２２１ｂと、オーバーモールド２２１の略直方体形状の後端側の一辺の一部を切り欠いた形状を有する開口係合部２２１ａとケーブル１０が貫通するケーブル貫通穴２２１ｅが形成される。開口係合部２２１ａの先端側の一辺は、モジュール側コネクタ２１０の係合部２１１ａの先端に設けられた係合突起部２１１ｂに係合されるため、平坦な平面形状に形成される。開口係合部２２１ａは、特に形状に限定はなく、図１４（ｅ）に示すようにＨ形状でもよく、それ以外の形状でも構わない。
【００４４】
さらに、第２の実施形態のオーバーモールド２２１には、開口係合部２２１ａの後端側に、可動部である係合突起部２１１ｂを押圧する押圧部２２１ｃと、押圧部２２１ｃの周囲に設けられ、誤ってロック解除されないための略長方形状の２つの壁２２１ｄが設けられる。これにより、操作者は押圧部２２１ｃを押圧することにより、係合突起部２１１ｂを押し下げ、係合突起部２１１ｂと開口係合部２２１ａの先端側の一辺との係合が外れ、モジュール側コネクタ２１０とケーブル側コネクタ２２０の嵌合を解除することができる。
【００４５】
以上のように、第２の実施形態のモジュール用コネクタによれば、第１の実施形態のモジュール用コネクタと同様の効果を奏することができる。
【００４６】
また、更に、モジュール側コネクタの係合部と、ケーブル側コネクタの押圧部とを別部品として構成することにより操作性を損なうことなく、安定した操作を可能とするモジュール用コネクタを提供できる。
【符号の説明】
【００４７】
１  モジュールケース
１０  ホスト側ケーブル
１１  信号線
１２  導線部
２０  コンタクト端子
１００、２００  モジュール用コネクタ
１１０、２１０  モジュール側コネクタ
１１１、２１１  コネクタケース
１１１ａ、２１１ａ  係合部
１１１ｂ、２１１ｂ  係合突起部
１１１ｃ、２１１ｃ  係合補強部
１１１ｄ、２１１ｄ  口型開口部
１１１ｅ、２１１ｅ  台座
１１２  コンタクトピン
１２０、２２０  ケーブル側コネクタ
１２１、２２１  オーバーモールド
１２１ａ、２２１ａ  開口係合部
１２１ｂ、２２１ｂ  開口部
１２２、２２２  ケース
１２２ａ、２２２ａ  溝
１２２ｂ、２２２ｂ  係合突起部
１２３、２２３  インシュレータ
１２３ａ、２２３ａ  コンタクト挿入口
１２３ｂ、２２３ｂ  導線部固定部
１２３ｃ、２２３ｃ  信号線固定部
１２３ｄ、２２３ｄ  突起部
１２４、２２４  Ｏリング
【図１】
0006606899.tif 000002
【図２】
0006606899.tif 000003
【図３】
0006606899.tif 000004
【図４】
0006606899.tif 000005
【図５】
0006606899.tif 000006
【図６】
0006606899.tif 000007
【図７】
0006606899.tif 000008
【図８】
0006606899.tif 000009
【図９】
0006606899.tif 000010
【図１０】
0006606899.tif 000011
【図１１】
0006606899.tif 000012
【図１２】
0006606899.tif 000013
【図１３】
0006606899.tif 000014
【図１４】
0006606899.tif 000015
【図１５】
0006606899.tif 000016
【図１６】
0006606899.tif 000017
【図１７】
0006606899.tif 000018